(57)【特許請求の範囲】
【請求項１】
自車両が走行する周辺環境を認識する周辺環境認識手段と、
自車両の走行する走行情報を検出する走行情報検出手段と、
上記周辺環境情報と上記走行情報とに基づいて自車両の走行車線前方の追い越し対象とする追い越し対象車両を検出する追い越し対象車両検出手段と、
上記周辺環境情報に基づいて上記追い越し対象車両を追い越す車線の上記追い越し対象車両とは反対側に隣接する車線を走行する追い越し車線並走車両を検出する追い越し車線並走車両検出手段と、
上記追い越し対象車両と上記追い越し車線並走車両とを監視し、自車両が上記追い越し対象車両の追い越し制御を開始した場合と追い越し制御のための車線変更を行った場合の少なくとも一方の場合に、自車両の前方を走行する上記追い越し車線並走車両の位置が、自車両が上記追い越し対象車両を追い越すための車線変更先の近傍、または、所定距離内の前方となると判定できる、追い越し車線上の現在の自車両位置の前方から後方にかけての予め設定する領域内に存在することが予想される場合は、上記追い越し走行を中止する方向に制御する、上記追い越し対象車両に対する追い越し走行を可変制御する追い越し制御手段と、
上記追い越し制御手段による制御状態を報知する報知手段とを備え、
上記追い越し制御手段は、上記追い越し対象車両を追い越すために自車両が車線変更を行って自車両の前方に上記追い越し車線並走車両が存在し、かつ、上記追い越し車線並走車両が元存在した車線に予め設定するスペースを検出した場合には、上記スペースへの操舵制御手段による車線変更制御を実行自在であることを特徴とする車両の走行制御装置。
【請求項２】
上記追い越し制御手段は、自車両が上記追い越し対象車両を追い越すために車線変更する上記追い越し車線への上記追い越し車線並走車両の車線変更の意志を検出した場合は、上記追い越し走行を中止する方向に制御することを特徴とする請求項１記載の車両の走行制御装置。
【請求項３】
上記周辺環境情報に基づいて自車両の走行車線後方の後続車両を元車線後続車両として検出する元車線後続車両検出手段を有し、
上記追い越し制御手段は、上記追い越し対象車両を追い越すために自車両が車線変更を行って上記追い越し対象車両に対する加速制御を略中止した場合に、
上記元車線後続車両が自車両を追い越して該元車線後続車両の後方に自車両との間に予め設定しておいた距離が確保できる際は、上記元車線後続車両の後方の元車線への操舵制御手段による復帰制御を実行自在であることを特徴とする請求項１又は請求項２記載の車両の走行制御装置。
【請求項４】
上記周辺環境情報に基づいて自車両の走行車線後方の後続車両を元車線後続車両として検出する元車線後続車両検出手段を有し、
上記追い越し制御手段は、上記追い越し対象車両を追い越すために自車両が車線変更を行って上記追い越し対象車両に対する加速制御を略中止した場合に、
上記元車線後続車両が自車両よりも予め設定した距離よりも後方で、自車両との相対速度も離間方向になった際は、上記元車線後続車両の前方の元車線への操舵制御手段による復帰制御を実行自在であることを特徴とする請求項１乃至請求項３の何れか一つに記載の車両の走行制御装置。
【発明の詳細な説明】
【技術分野】
【０００１】
本発明は、特に、車線前方の車両を自動走行の技術により追い越し自在な車両の走行制御装置に関する。
【背景技術】
【０００２】
近年、車両においては、ドライバの運転を、より快適に安全に行えるように自動運転の技術を利用した様々なものが開発され提案されている。例えば、特開２００９−２４８８９２号公報（以下、特許文献１）では、自車両及び先行車両の走行状態に基づいて自車両による先行車両の追い越しの適否を判定し、先行車両の追い越しが適切であると判定した場合に、追い越しの準備動作を実行し、走行環境と自車両及び先行車両の走行状態とに基づいて、例えば、自車両及び先行車両が片側複数車線の道路の走行車線を走行しており、前方の所定距離範囲内に信号機や交差点等が存在せず、追い越し経路内に別の先行車両が存在せず、かつ、追い越し経路内に進入しようとする後続車両も存在しないことを認識した場合に、先行車両の追い越しが可能であると判定し、追い越しを実行する走行制御システムの技術が開示されている。
【先行技術文献】
【特許文献】
【０００３】
【特許文献１】特開２００９−２４８８９２号公報
【発明の概要】
【発明が解決しようとする課題】
【０００４】
上述の特許文献１による走行制御システムの技術によれば、自車両が追い越し走行を実行しようとする走行環境（交差点、信号機の有無等）、追い越し経路上の走行車両に応じて追い越しが行われるため、安全な追い越し走行が可能になる。しかしながら、追い越し対象となる先行車を追い越すためには、追い越すための車線変更、車線変更後の加速、追い越し加速後の元車線への車線変更等の複雑な走行の組み合わせで行われ、例えば、後続車両や追い越し対象車両を追い越す車線の追い越し対象車両とは反対側に隣接する車線を走行する追い越し車線並走車両等の走行状態によっては、追い越し走行自体を実行しない方が好ましい場合や、追い越すための車線変更等を行っても、先行車を追い越さずに元の車線に戻る方が好ましい場合があり、これらの場合も的確に予想して追い越し走行を行わなければならないという課題がある。
【０００５】
本発明は上記事情に鑑みてなされたもので、自動運転の技術を利用して追い越し制御を実行する際に、後続車両や追い越し対象車両を追い越す車線の追い越し対象車両とは反対側に隣接する車線を走行する追い越し車線並走車両等の走行状態によって、追い越し走行自体を実行しない方が好ましい場合や、たとえ、追い越すための車線変更等を行っても、先行車を追い越さずに元の車線に戻る方が好ましい場合は、これらの情報を適切に収集して、ドライバに報知、或いは、元の車線等に自動的に車線変更することが可能な車両の走行制御装置を提供することを目的とする。
【課題を解決するための手段】
【０００６】
本発明の車両の走行制御装置の一態様は、自車両が走行する周辺環境を認識する周辺環境認識手段と、自車両の走行する走行情報を検出する走行情報検出手段と、上記周辺環境情報と上記走行情報とに基づいて自車両の走行車線前方の追い越し対象とする追い越し対象車両を検出する追い越し対象車両検出手段と、上記周辺環境情報に基づいて上記追い越し対象車両を追い越す車線の上記追い越し対象車両とは反対側に隣接する車線を走行する追い越し車線並走車両を検出する追い越し車線並走車両検出手段と、上記追い越し対象車両と上記追い越し車線並走車両とを監視し、自車両が上記追い越し対象車両の追い越し制御を開始した場合と追い越し制御のための車線変更を行った場合の少なくとも一方の場合に、自車両の前方を走行する上記追い越し車線並走車両の位置が、自車両が上記追い越し対象車両を追い越すための車線変更先の近傍、または、所定距離内の前方となると判定できる、追い越し車線上の現在の自車両位置の前方から後方にかけての予め設定する領域内に存在することが予想される場合は、上記追い越し走行を中止する方向に制御する、上記追い越し対象車両に対する追い越し走行を可変制御する追い越し制御手段と、上記追い越し制御手段による制御状態を報知する報知手段とを備え、上記追い越し制御手段は、上記追い越し対象車両を追い越すために自車両が車線変更を行って自車両の前方に上記追い越し車線並走車両が存在し、かつ、上記追い越し車線並走車両が元存在した車線に予め設定するスペースを検出した場合には、上記スペースへの操舵制御手段による車線変更制御を実行自在である。
【発明の効果】
【０００７】
本発明による車両の走行制御装置によれば、自動運転の技術を利用して追い越し制御を実行する際に、後続車両や追い越し対象車両を追い越す車線の追い越し対象車両とは反対側に隣接する車線を走行する追い越し車線並走車両等の走行状態によって、追い越し走行自体を実行しない方が好ましい場合や、たとえ、追い越すための車線変更等を行っても、先行車を追い越さずに元の車線に戻る方が好ましい場合は、これらの情報を適切に収集して、ドライバに報知、或いは、元の車線等に自動的に車線変更することが可能となる。
【図面の簡単な説明】
【０００８】
【図１】本発明の実施の一形態による、車両の走行制御装置の全体構成図である。
【図２】本発明の実施の一形態による、追い越し走行制御プログラムのフローチャートである。
【図３】本発明の実施の一形態による、追い越し開始車線変更および追い越し加速前半における追い越し車線並走車両監視下の走行制御のフローチャートである。
【図４】本発明の実施の一形態による、追い越し加速前半、後半における元車線後続車両監視下の走行制御のフローチャートである。
【図５】本発明の実施の一形態による、追い越し加速前半、後半における追い越し車線並走車両監視下の走行制御のフローチャートである。
【図６】本発明の実施の一形態による、追い越し加速前半、後半における追い越し車線並走車両と他の追い越し車線並走車両監視下の走行制御のフローチャートである。
【図７】本発明の実施の一形態による、追い越し走行制御の各フェイズの説明図である。
【図８】本発明の実施の一形態による、図３の追い越し開始車線変更および追い越し加速前半における追い越し車線並走車両監視下の走行制御の説明図である。
【図９】本発明の実施の一形態による、図４の追い越し加速前半、後半における元車線後続車両監視下の走行制御の説明図で、図９（ａ）は元車線後続車両の後方に戻る場合、図９（ｂ）は追い越し対象車両の後方に戻る場合を示す。
【図１０】本発明の実施の一形態による、図５の追い越し加速前半、後半における追い越し車線並走車両監視下の走行制御の説明図である。
【図１１】本発明の実施の一形態による、図６の追い越し加速前半、後半における追い越し車線並走車両と他の追い越し車線並走車両監視下の走行制御の説明図である。
【図１２】本発明の実施の一形態による、加速特性を制限したアクセル開度に対するスロットル開度の一例を示す図である。
【発明を実施するための形態】
【０００９】
以下、図面に基づいて本発明の実施の形態を説明する。  
図１において、符号１は、車両の走行制御装置を示し、この走行制御装置１には、走行制御部１０に、周辺環境認識装置１１、走行パラメータ検出装置１２、自車位置情報検出装置１３、車車間通信装置１４、道路交通情報通信装置１５、スイッチ群１６の各入力装置と、エンジン制御装置２１、ブレーキ制御装置２２、ステアリング制御装置２３、表示装置２４、スピーカ・ブザー２５の各出力装置が接続されている。
【００１０】
周辺環境認識装置１１は、車両の外部環境を撮影して画像情報を取得する車室内に設けた固体撮像素子等を備えたカメラ装置（ステレオカメラ、単眼カメラ、カラーカメラ等：図示せず）と、車両の周辺に存在する立体物からの反射波を受信するレーダ装置（レーザレーダ、ミリ波レーダ、超音波レーダ等：図示せず）で構成されている。
【００１１】
周辺環境認識装置１１は、カメラ装置で撮像した画像情報を基に、例えば、距離情報に対して周知のグルーピング処理を行い、グルーピング処理した距離情報を予め設定しておいた三次元的な道路形状データや立体物データ等と比較することにより、車線区画線データ、道路に沿って存在するガードレール、縁石等の側壁データ、車両等の立体物データ等を自車両からの相対的な位置（距離、角度）を、速度と共に抽出する。
【００１２】
また、周辺環境認識装置１１は、レーダ装置で取得した反射波情報を基に、反射した立体物の存在する位置（距離、角度）を、速度と共に検出する。このように、周辺環境認識装置１１は周辺環境認識手段として設けられている。
【００１３】
走行パラメータ検出装置１２は、自車両の走行状態、具体的には、車速Ｖ、アクセル開度θacc、スロットル開度θth、及び走行する路面の路面勾配Ｕｇ（登り方向勾配を「＋」とする）、路面摩擦係数推定値μｅ等を検出する。このように、走行パラメータ検出装置１２は、走行情報検出手段として設けられている。
【００１４】
自車位置情報検出装置１３は、例えば、公知のナビゲーションシステムであり、例えば、ＧＰＳ[Global Positioning System：全地球測位システム]衛星から発信された電波を受信し、その電波情報に基づいて現在位置を検出して、フラッシュメモリや、ＣＤ（Compact Disc）、ＤＶＤ（Digital Versatile Disc）、ブルーレイ（Blu−ray；登録商標）ディスク、ＨＤＤ（ Hard disk drive）等に予め記憶しておいた地図データ上に自車位置を特定する。この予め記憶される地図データとしては、道路データおよび施設データを有している。道路データは、リンクの位置情報、種別情報、ノードの位置情報、種別情報、および、ノードとリンクとの接続関係の情報を含んでいる。施設データは、施設毎のレコードを複数有しており、各レコードは、対象とする施設の名称情報、所在位置情報、施設種別（デパート、商店、レストラン、駐車場、公園、車両の故障時の修理拠点の別）情報を示すデータを有している。そして、地図位置上の自車位置を表示して、操作者により目的地が入力されると、出発地から目的地までの経路が所定に演算され、ディスプレイ、モニタ等の表示装置２４に表示され、また、スピーカ・ブザー２５により音声案内して誘導自在になっている。
【００１５】
車車間通信装置１４は、例えば、無線ＬＡＮなど１００[m]程度の通信エリアを有する狭域無線通信装置で構成され、サーバなどを介さずに他の車両と直接通信を行い、情報の送受信を行うことが可能となっている。そして、他の車両との相互通信により、車両情報、走行情報、交通環境情報等を交換する。車両情報としては車種（本形態では、乗用車、トラック、二輪車等の種別）を示す固有情報がある。また、走行情報としては車速、位置情報、ブレーキランプの点灯情報、右左折時に発信される方向指示器の点滅情報、緊急停止時に点滅されるハザードランプの点滅情報がある。更に、交通環境情報としては、道路の渋滞情報、工事情報等の状況によって変化する情報が含まれている。
【００１６】
道路交通情報通信装置１５は、所謂、道路交通情報通信システム（VICS：Vehicle Information and Communication System：登録商標）で、FM多重放送や道路上の発信機から、渋滞や事故、工事、所要時間、駐車場の道路交通情報をリアルタイムに受信し、この受信した交通情報を、上述の予め記憶しておいた地図データ上に表示する装置となっている。
【００１７】
スイッチ群１６は、ドライバの運転支援制御に係るスイッチ群で、例えば、速度を予め設定しておいた一定速で走行制御させるスイッチ、或いは、先行車との車間距離、車間時間を予め設定しておいた一定値に維持して追従制御させるためのスイッチ、走行車線を設定車線に維持して走行制御するレーンキープ制御のスイッチ、走行車線からの逸脱防止制御を行う車線逸脱防止制御のスイッチ、先行車（追い越し対象車両）の追い越し制御を実行させる追い越し制御実行許可スイッチ、これら各制御に必要な車速、車間距離、車間時間、制限速度等を設定するスイッチ、或いは、これら各制御を解除するスイッチ等から構成されている。
【００１８】
エンジン制御装置２１は、例えば、吸入空気量、スロットル開度θth、エンジン水温、吸気温度、酸素濃度、クランク角、アクセル開度θacc、その他の車両情報に基づき、車両のエンジン（図示せず）についての燃料噴射制御、点火時期制御、電子制御スロットル弁の制御、タイヤの空転を防止するトラクションコントロール等の主要な制御を行う公知の制御ユニットである。そして、このエンジン制御装置２１には、走行制御部１０から目標加速度（ｄ２Ｘ／ｄｔ２）ｔや目標速度Ｖ２の入力、また、アクセル開度θaccに対するスロットル開度θthの特性の変更指示が入力される。
【００１９】
ブレーキ制御装置２２は、例えば、ブレーキスイッチ、４輪の車輪速、ハンドル角、ヨーレート、その他の車両情報に基づき、４輪のブレーキ装置（図示せず）をドライバのブレーキ操作とは独立して制御可能で、公知のアンチロック・ブレーキ・システム（Antilock Brake System）や横すべり防止制御等を行う公知の制御ユニットである。そして、ブレーキ制御装置２２は、走行制御部１０から、減速指示等の出力がなされた場合には、その減速指示値に応じたブレーキ制御を実行する。
【００２０】
ステアリング制御装置２３は、例えば、車速Ｖ、操舵トルク、ハンドル角、ヨーレート、その他の車両情報に基づき、車両の操舵系に設けた電動パワーステアリングモータ（図示せず）によるアシストトルクを制御する公知の制御装置である。また、ステアリング制御装置２３は、上述の走行車線を設定車線に維持して走行制御するレーンキープ制御、走行車線からの逸脱防止制御を行う車線逸脱防止制御が可能となっており、これらレーンキープ制御、車線逸脱防止制御に必要な操舵角、或いは、操舵トルクを算出して制御自在に構成されている。更に、ステアリング制御装置２３には、走行制御部１０から、追い越し走行制御の際に、追い越し対象車両を追い越す場合、或いは、元車線に戻る場合に、必要な目標ハンドル角θHtが入力され制御される。このように、ステアリング制御装置２３は、操舵制御手段として設けられている。
【００２１】
表示装置２４は、例えば、モニタ、ディスプレイ、アラームランプ等のドライバに対して視覚的な警告、報知を行う装置である。スピーカ・ブザー２５は、ドライバに対して聴覚的な警告、報知を行う装置で、これら表示装置２４、スピーカ・ブザー２５は、報知手段として設けられている。
【００２２】
そして、走行制御部１０は、上述の各装置１１〜１６からの各入力信号に基づいて、自車両の走行車線（車線変更した場合には元車線）、追い越し車線、後述する追い越し対象車両を追い越す車線の追い越し対象車両とは反対側に隣接する車線を位置情報と共に認識する。また、自車両の走行車線の先行車、及び先々行車を認識し、例えば、自車走行車線上の直近の先行車を追い越し対象車両として認識する。更に、自車両の走行車線の自車両後方を走行する後続車両を元車線後続車両として認識する。また、追い越し対象車両を追い越す車線の追い越し対象車両とは反対側に隣接する車線を走行する直近の車両を追い越し車線並走車両として認識し、この車線上を走行する他の車両も認識する。これら先行車、先々行車、追い越し対象車両、元車線後続車両、追い越し車線並走車両、その他の車両は、それぞれ、自車両からの距離情報、相対速度情報、自車両の速度も加えた各車両の速度情報、方向指示器の点滅情報等が、画像情報、レーダ送受信情報、車車間通信等により検出される。そして、例えば、スイッチ群１６により、追い越し制御実行の入力が行われた場合に、追い越し対象車両を自動運転の技術を利用して追い越し走行制御を実行する。
【００２３】
本実施の形態の走行制御部１０では、追い越し走行制御を、図２のフローチャート、及び、図７に示すように、追い越し開始車線変更フェイズＰ１、追い越し加速前半フェイズＰ２、追い越し加速後半フェイズＰ３、元車線への車線変更フェイズＰ４の４つのフェイズで実行するようになっており、以下、各フェイズ毎の走行制御を説明する。
【００２４】
図２は、追い越し走行制御全般のプログラムを示すフローチャートで、まず、ステップ（以下、「Ｓ」と略称）１０１で、図７の追い越し開始車線変更フェイズＰ１を実行する。尚、走行制御部１０が追い越し開始車線変更フェイズＰ１を実行している間、追い越し開始車線変更フェイズ実行フラグＦp1がセット（Ｆp1＝１）される。
【００２５】
本実施の形態では、自車両が車線変更する際の車両軌跡を、その一例として、走行距離をｘ方向とし、横移動量（車線変更幅）をｙ方向とする２次元座標（自車両位置を原点とする）上において、ジャーク（∫ｄ３ｙ／ｄｘ３）最小軌跡の正規化多項式で求めるものとする。
【００２６】
この場合、ｙ(0)＝０、ｙ(1)＝１、ｄｙ(0)／ｄｘ＝ｄ２ｙ(0)／ｄｘ２＝０、ｄｙ(1)／ｄｘ＝ｄ２ｙ (1)／ｄｘ２＝０を満足するものとして、以下の（１）式が得られる。
【００２７】
ｙ＝６・ｘ５−１５・ｘ４＋１０・ｘ３  ・・・（１）
この（１）式を微分処理し、以下の（２）、（３）、（４）式を得る。
【００２８】
ｄｙ／ｄｘ＝３０・（ｘ４−２・ｘ３＋ｘ２）・・・（２）
ｄ２ｙ／ｄｘ２＝６０・（２・ｘ３−３・ｘ２＋ｘ）・・・（３）
ｄ３ｙ／ｄｘ３＝６０・（６・ｘ２−６・ｘ＋１）・・・（４）
そして、上述の（４）式により、ｄ３ｙ／ｄｘ３＝０となるときのｘを逆算すると、以下の（５）式が得られる。
【００２９】
ｘ（ｄ３ｙ／ｄｘ３＝０）＝（３±３１／２）／６・・・（５）
このｘの値から、（３）式により、ｄ２ｙ／ｄｘ２を算出して、この値を横加速度の最大値の絶対値｜（ｄ２ｙ／ｄｘ２）max｜とすると、以下の（６）の値を得る。
【００３０】
｜（ｄ２ｙ／ｄｘ２）max｜＝１０・３１／２／３≒５．７７・・・（６）
また、上述の横加速度の最大値（ｄ２ｙ／ｄｘ２）maxを用いて、車線変更時の最大横加速度（ｄ２Ｙ／ｄｔ２）max_c（予め設定する値）を表現すると、車線変更に要する走行距離をＬとし、車線変更幅をＷとして以下の（７）式となる。
【００３１】
（ｄ２ｙ／ｄｘ２）max・Ｗ／（Ｌ／Ｖ）２＝（ｄ２Ｙ／ｄｔ２）max_c
・・・（７）
この（７）式を走行距離Ｌについて解くと、以下の（８）式が得られる。
【００３２】
Ｌ＝（５．７７・Ｗ・Ｖ２／（ｄ２Ｙ／ｄｔ２）max_c）１／２
・・・（８）
この（８）式により、追い越し開始車線変更フェイズＰ１に必要な距離Ｌ１は、そのときの車速ＶをＶ１として、以下の（９）式であることが解る。
【００３３】
Ｌ１＝（５．７７・Ｗ・Ｖ１２／（ｄ２Ｙ／ｄｔ２）max_c）１／２
・・・（９）
また、推定される自車両のｘ方向の正規化した走行距離をｘｅとすると、
ｘｅ＝（∫Ｖ・ｄｔ）／Ｌ    ・・・（１０）
となる。目標ヨーレートγｔと車速Ｖと横加速度（ｄ２ｙ／ｄｘ２）の関係は、以下の（１１）式で表されるため、目標ヨーレートγｔは、前述の（３）式を用いて、以下の（１２）式となる。
【００３４】
γｔ・Ｖ＝（ｄ２ｙ／ｄｘ２）・Ｗ／（Ｌ／Ｖ）２・・・（１１）
γｔ＝６０・（２・ｘｅ３−３・ｘｅ２＋ｘｅ）・Ｗ・Ｖ／Ｌ２
・・・（１２）
この目標ヨーレートγｔを以下の目標ハンドル角θHtの関係式（（１３）式）に代入することにより、制御に必要な（ステアリング制御装置２３に出力される）目標ハンドル角θHtが求められる。
【００３５】
θHt＝γｔ・ｎ／Ｇγ  ・・・（１３）
ここで、ｎはステアリングギヤ比であり、Ｇγはヨーレートゲインであり、ヨーレートゲインＧγは、例えば、以下の（１４）式により算出できる。
【００３６】
Ｇγ＝（１／（１＋Ａ・Ｖ２））・（Ｖ／ｌ）・・・（１４）
ここで、Ａは車両固有のスタビリティファクタ、ｌはホイールベースである。
【００３７】
このように、Ｓ１０１の追い越し開始車線変更フェイズＰ１では、上述の（１３）式で目標ハンドル角θHtが算出されて自動操舵制御され、上述の（９）式の距離Ｌ１の走行が行われる。尚、目標ハンドル角θHtを算出するために必要な車速Ｖ、距離Ｌは、それぞれＶ１、Ｌ１が用いられる。
【００３８】
また、本実施の形態では、自車両が車線変更する際の車両軌跡を、ジャーク最小軌跡の正規化多項式で求める例の一例で示したが、これに限るものでは無く、他の、曲線の関数等で近似するようにしても良い。
【００３９】
Ｓ１０１で追い越し開始車線変更フェイズＰ１を終えて、車線変更を終了した後は、Ｓ１０２で、図７の追い越し加速前半フェイズＰ２が実行される。尚、走行制御部１０が追い越し加速前半フェイズＰ２を実行している間、追い越し加速前半フェイズ実行フラグＦp2がセット（Ｆp2＝１）される。
【００４０】
この追い越し加速前半フェイズＰ２は、追い越し車線で追い越し対象車両まで追いつき略並走するまで加速する走行制御であり、追い越し加速前半フェイズＰ２での走行距離Ｌ２は、例えば、以下の（１５）式により算出できる。
【００４１】
Ｌ２＝（１／（２・（ｄ２Ｘ／ｄｔ２）ｔ））・（Ｖ２２−Ｖ１２）
・・・（１５）
ここで、Ｖ２は、追い越し加速後の目標車速で、例えば、追い越し対象車両の車速Ｖｆに予め設定しておいた所定速度（すなわち、追い越し時の（目標）相対速度）ΔＶを加算した値（Ｖｆ＋ΔＶ）と、制限速度Ｖlim（予め設定しておいた制限速度、或いは、前述の各入力信号で認識した道路の制限速度）の小さい方の値である。
【００４２】
また、（ｄ２Ｘ／ｄｔ２）ｔは、目標追い越し加速度で、例えば、以下の（１６）式で設定する。
【００４３】
（ｄ２Ｘ／ｄｔ２）ｔ＝min（（ｄ２Ｘ／ｄｔ２）０−Ｋｇ・Ｕｇ，μｅ・ｇ）
・・・（１６）
ここで、minは、（（ｄ２Ｘ／ｄｔ２）０−Ｋｇ・Ｕｇ）と（μｅ・ｇ）の小さい方を選択するミニマム関数、（ｄ２Ｘ／ｄｔ２）０は、予め設定しておいた追い越し加速度の基準値、Ｋｇは路面勾配係数、ｇは重力加速度を示す。
【００４４】
Ｓ１０２で追い越し加速前半フェイズＰ２を終えると、Ｓ１０３に進んで、図７の追い越し加速後半フェイズＰ３が実行される。尚、走行制御部１０が追い越し加速後半フェイズＰ３を実行している間、追い越し加速後半フェイズ実行フラグＦp3がセット（Ｆp3＝１）される。
【００４５】
この追い越し加速後半フェイズＰ３は、追い越し車線で追い越し対象車両と略並走してから元車線に車線変更するために加速する走行制御であり、追い越し加速後半フェイズＰ３での走行距離Ｌ３は、例えば、以下の（１７）式により算出できる。
【００４６】
Ｌ３＝（Ｌｐ−（１／（２・（ｄ２Ｘ／ｄｔ２）ｔ））・（Ｖ２−Ｖ１）２）
・Ｖ２／（Ｖ２−Ｖ１）・・・（１７）
ここで、Ｌｐは、追い越し対象車両との車間距離に追い越し後の目標とする車間距離を加算した値である。
【００４７】
Ｓ１０３で追い越し加速後半フェイズＰ３を終えると、Ｓ１０４に進んで、図７の元車線への車線変更フェイズＰ４が実行される。尚、走行制御部１０が元車線への車線変更フェイズＰ４を実行している間、元車線への車線変更フェイズ実行フラグＦp4がセット（Ｆp4＝１）される。
【００４８】
この元車線への車線変更フェイズＰ４は、追い越し車線で追い越し対象車両を追い越した後、元車線に車線変更するまで実行される制御となっている。そして、この元車線への車線変更フェイズＰ４での走行距離Ｌ４は、例えば、ジャーク最小軌跡の正規化多項式で求めると、前述の（８）式により、以下の（１８）式により算出される。
【００４９】
Ｌ４＝（５．７７・Ｗ・Ｖ２２／（ｄ２Ｙ／ｄｔ２）max_c）１／２
・・・（１８）
また、制御に必要な（ステアリング制御装置２３に出力される）目標ハンドル角θHtは、前述の（１３）式に基づいて、車速Ｖ、距離Ｌは、それぞれＶ４、Ｌ４として算出される。従って、本実施の形態の走行制御部１０で実行される追い越し制御による走行距離Ｌｒは、Ｌ１＋Ｌ２＋Ｌ３＋Ｌ４となる。
【００５０】
そして、走行制御部１０は、追い越し対象車両と追い越し車線並走車両とを監視し、追い越し対象車両の追い越し制御を開始した場合（追い越し開始車線変更フェイズＰ１の場合）、或いは、車線変更を行った場合（追い越し加速前半フェイズＰ２の場合）、追い越し車線並走車両の位置が自車両からの予め設定する領域内に存在することが予想される場合と、自車両が追い越し対象車両を追い越すために車線変更する追い越し車線への追い越し車線並走車両の車線変更の意志を検出した場合の少なくとも一方を検出した場合は、追い越し走行を中止する方向に制御する。
【００５１】
追い越し開始車線変更フェイズＰ１、或いは、追い越し加速前半フェイズＰ２で実行される、追い越し開始車線変更および追い越し加速前半における元車線後続車両監視下の走行制御を、図３のフローチャート、及び、図８を基に説明する。
【００５２】
まず、Ｓ２０１では、追い越し開始車線変更フェイズＰ１か否か（Ｆp1＝１か否か）判定する。この判定の結果、追い越し開始車線変更フェイズＰ１の場合（Ｆp1＝１の場合）はＳ２０３にジャンプし、追い越し開始車線変更フェイズＰ１ではない場合（Ｆp1＝０の場合）はＳ２０２に進み、追い越し加速前半フェイズＰ２か否か（Ｆp2＝１か否か）判定する。
【００５３】
この判定の結果、追い越し加速前半フェイズＰ２の場合（Ｆp2＝１の場合）はＳ２０３に進み、追い越し加速前半フェイズＰ２ではない場合（Ｆp2＝０の場合：すなわち、追い越し開始車線変更フェイズＰ１、追い越し加速前半フェイズＰ２の何れでもない場合）はルーチンを抜ける。
【００５４】
追い越し開始車線変更フェイズＰ１の場合、或いは、追い越し加速前半フェイズＰ２の場合と判定されてＳ２０３に進むと、追い越し車線並走車両の時間ｔ後の位置（ＸEe，ＹEe）が、例えば、以下の（１９）式、（２０）式により推定される。
【００５５】
ＸEe＝ＸE0−ＶRx_E・ｔ−（１／２）・（ｄＶRx_E／ｄｔ）・ｔ２
・・・（１９）
ＹEe＝ＹE0−ＶRy_E・ｔ−（１／２）・（ｄＶRy_E／ｄｔ）・ｔ２
・・・（２０）
ここで、追い越し車線並走車両の現在における自車両からの相対位置が（ＸE0，ＹE0）で、相対速度が（ＶRx_E，ＶRx_E）であり、これらの値は、周辺環境認識装置１１等で検出されるものである。また、時間ｔは、予め実験・演算等により設定しておいた時間である。
【００５６】
次いで、Ｓ２０４に進み、追い越し車線並走車両の時間ｔ後の位置（ＸEe，ＹEe）が、自車両が追い越し対象車両を追い越すための車線変更先の近傍、または、所定距離内の前方となるか判定する。
【００５７】
具体的には、図８に示すように、Ｄsb≦ＸEe≦Ｄsf、かつ、（１／２）・Ｗｌ≦ＹEe≦（３／２）・Ｗｌの領域に存在することが推定されるか否か判定する。ここで、Ｄsfは自車両からの前方を規定する閾値、Ｄsbは自車両からの後方を規定する閾値で、これら閾値Ｄsb，Ｄsfは、予め実験・演算等により設定しておいた値である。また、Ｗｌは車線幅である。従って、この領域は、自車両が追い越し対象車両を追い越すための車線変更先の領域となる。
【００５８】
Ｓ２０４の判定の結果、追い越し車線並走車両が時間ｔ後、自車両が追い越し対象車両を追い越すための車線変更先の領域に存在すると判定される場合は、Ｓ２０６へとジャンプする。逆に、追い越し車線並走車両が時間ｔ後、自車両が追い越し対象車両を追い越すための車線変更先の領域に存在すると判定されなかった場合は、Ｓ２０５に進む。
【００５９】
Ｓ２０５では、追い越し車線並走車両は、自車両の車線変更と同じ方向に方向指示器を点滅させているか否か判定される。そして、この判定の結果、自車両の車線変更と同じ方向に方向指示器を点滅させていない場合は、そのままルーチンを抜け、図２に示す、走行制御プログラムが続行される。
【００６０】
また、追い越し車線並走車両が自車両の車線変更と同じ方向に方向指示器を点滅させていると判定された場合は、Ｓ２０６に進む。
【００６１】
Ｓ２０４、或いは、Ｓ２０５からＳ２０６に進むと、追い越し車線並走車両が追い越し車線に進入しようとしていることをドライバに報知するべく、表示装置２４のディスプレイ、モニタ、アラームランプにより視覚的警報、或いは、スピーカ・ブザー２５による聴覚的警報、或いは、ステアリング制御装置２３によるステアリングの加振を行って警報する。また、ステアリング制御装置２３がレーンキープ制御機能を有している場合は、走行車線に沿って走行することを維持するべく（追い越し制御による車線変更が作動しないように）レーンキープ制御を作動させる。更に、追い越し制御を行おうとする自動操舵（車線変更）を中止させる。
【００６２】
次いで、Ｓ２０７に進み、追い越し走行制御のために設定する加速制御を中止させる。具体的には、目標加速度を０に強制的に設定する。
【００６３】
次に、Ｓ２０８に進み、車線変更のための自車両の加速に対してドライバに報知するべく、表示装置２４のディスプレイ、モニタ、アラームランプにより視覚的警報、或いは、スピーカ・ブザー２５による聴覚的警報を行う。そして、エンジン制御装置２１に対しては、例えば、図１２に示すように、通常よりも加速特性を制限したアクセル開度θacc−スロットル開度θthの特性マップを設定させる。
【００６４】
そして、Ｓ２０９に進み、ブレーキ制御装置２２に対して信号を出力し、例えば、予め設定しておいた減速度になるように自動ブレーキを発生させる。この際、図示しないストップランプも点灯させる。
【００６５】
尚、本実施の形態では、Ｓ２０６で車線変更を警報した後、自動操舵を中止し、Ｓ２０７で加速制御を中止し、Ｓ２０８で自車両の加速を警報し、自車両の加速を制限し、Ｓ２０９で減速制御を実行するようになっているが、これらの処理は、何れか一つ、或いは、何れか組み合わせて行うようにしても良い。
【００６６】
また、走行制御部１０は、追い越し対象車両と元車線後続車両とを監視し、追い越し対象車両を追い越すために自車両が車線変更を行って、追い越し加速前半フェイズＰ２、或いは、追い越し加速後半フェイズＰ３の場合に、追い越し対象車両に対する加速制御を略中止した場合に、元車線後続車両が自車両を追い越して該元車線後続車両の後方に自車両との間に予め設定しておいた距離が確保できる際は、元車線後続車両の後方の元車線への復帰自在であると共に、元車線後続車両が自車両よりも予め設定した距離よりも後方で、自車両との相対速度も離間方向になった際は、元車線後続車両の前方の元車線への復帰自在となっている。
【００６７】
追い越し加速前半フェイズＰ２、或いは、追い越し加速後半フェイズＰ３で実行される、追い越し加速前半、後半における元車線後続車両監視下の走行制御を、図４のフローチャート、及び、図９（ａ）、図９（ｂ）を基に説明する。
【００６８】
まず、Ｓ３０１では、追い越し加速前半フェイズＰ２か否か（Ｆp2＝１か否か）判定する。この判定の結果、追い越し加速前半フェイズＰ２の場合（Ｆp2＝１の場合）はＳ３０３にジャンプし、追い越し加速前半フェイズＰ２ではない場合（Ｆp2＝０の場合）はＳ３０２に進み、追い越し加速後半フェイズＰ３か否か（Ｆp3＝１か否か）判定する。
【００６９】
この判定の結果、追い越し加速後半フェイズＰ３の場合（Ｆp3＝１の場合）はＳ３０３に進み、追い越し加速後半フェイズＰ３ではない場合（Ｆp3＝０の場合：すなわち、追い越し加速前半フェイズＰ２、追い越し加速後半フェイズＰ３の何れでもない場合）はルーチンを抜ける。
【００７０】
追い越し加速前半フェイズＰ２の場合、或いは、追い越し加速後半フェイズＰ３の場合と判定されてＳ３０３に進むと、追い越し加速が中止されているか否か判定され、追い越し加速が中止されていない場合にはルーチンを抜け、追い越し加速が中止されている場合は、Ｓ３０４に進む。
【００７１】
Ｓ３０３で追い越し加速が中止されていると判定されてＳ３０４に進むと、元車線後続車両が自車両前方に存在するか否か判定される。
【００７２】
そして、この判定の結果、元車線後続車両が自車両前方に存在しない場合には、Ｓ３０５に進み、元車線後続車両が自車両を追い越さず、後方で自車両との車間距離が離間方向か否か、すなわち、ＶR_D1≦ＶR_sf（ＶR_sfは自車両に対する相対速度の離間判定閾値）か否か判定される。
【００７３】
このＳ３０５の判定の結果、ＶR_D1≦ＶR_sfであり、元車線後続車両は、自車両を追い越さず、後方で自車両との車間距離が離間方向と判定できる場合は、Ｓ３０６に進み、逆に、ＶR_D1＞ＶR_sfであり、元車線後続車両が自車両を追い越す可能性があると判定できる場合は、そのままルーチンを抜ける。
【００７４】
Ｓ３０５の判定の結果、ＶR_D1≦ＶR_sfと判定してＳ３０６に進むと、自車両と元車線後続車両との間の車間距離ＬD1は、自車両が復帰するのに十分な車間距離（ＬD1c2）か（ＬD1≧ＬD1c2か）否か判定され、ＬD1≧ＬD1c2の場合には、Ｓ３０７に進む。逆に、ＬD1＜ＬD1c2で、自車両が復帰するのに十分な車間距離（ＬD1c2）が無いと判定した場合は、そのままルーチンを抜ける。
【００７５】
Ｓ３０６で、自車両が復帰するのに十分な車間距離（ＬD1c2）があると判定されてＳ３０７に進むと、図９（ｂ）に示すような走行軌跡で、元車線に復帰することが可能であることをドライバに報知するべく、表示装置２４のディスプレイ、モニタ、アラームランプにより視覚的警報、或いは、スピーカ・ブザー２５による聴覚的警報を行う。
【００７６】
次いで、Ｓ３０８に進み、例えば、前述の（１３）式を利用し、そのときの車速等を基に、目標ハンドル角θHtを算出する。
【００７７】
次に、Ｓ３０９に進んで、目標ハンドル角θHtをステアリング制御装置２３に出力してルーチンを抜ける。
【００７８】
一方、前述のＳ３０４で、元車線後続車両が自車両前方に存在すると判定された場合は、Ｓ３１０に進み、自車両と元車線後続車両との間の車間距離ＬD1は、自車両が復帰するのに十分な車間距離（ＬD1c1）か（ＬD1≧ＬD1c1か）否か判定され、ＬD1≧ＬD1c1の場合には、Ｓ３０７に進む。逆に、ＬD1＜ＬD1c1で、自車両が復帰するのに十分な車間距離（ＬD1c1）が無いと判定した場合は、そのままルーチンを抜ける。
【００７９】
Ｓ３１０で、自車両が復帰するのに十分な車間距離（ＬD1c1）があると判定されてＳ３０７に進むと、図９（ａ）に示すような走行軌跡で、元車線に復帰することが可能であることをドライバに報知するべく、表示装置２４のディスプレイ、モニタ、アラームランプにより視覚的警報、或いは、スピーカ・ブザー２５による聴覚的警報を行う。
【００８０】
次いで、Ｓ３０８に進み、例えば、前述の（１３）式を利用し、そのときの車速等を基に、目標ハンドル角θHtを算出する。
【００８１】
次に、Ｓ３０９に進んで、目標ハンドル角θHtをステアリング制御装置２３に出力してルーチンを抜ける。
【００８２】
尚、本実施の形態では、Ｓ３０７で元車線への車線変更が可能であることを報知した後、Ｓ３０８で目標ハンドル角θHtを算出し、Ｓ３０９で自動操舵を実行するようになっているが、これらの処理は、何れか一つ、或いは、何れか組み合わせて行うようにしても良い。
【００８３】
また、走行制御部１０は、追い越し対象車両と追い越し車線並走車両とを監視し、追い越し対象車両を追い越すために自車両が車線変更を行って、追い越し加速前半フェイズＰ２、或いは、追い越し加速後半フェイズＰ３の場合に、追い越し車線並走車両の位置が自車両の走行する追い越し車線の予め設定する領域内に存在することが予想される場合と、追い越し車線への追い越し車線並走車両の車線変更の意志を検出した場合の少なくとも一方を検出した場合は、追い越し走行を中止する方向に制御する。
【００８４】
以下、この追い越し加速前半フェイズＰ２、或いは、追い越し加速後半フェイズＰ３で実行される、追い越し加速前半、後半における追い越し車線並走車両監視下の走行制御を図５のフローチャート、及び、図１０を基に説明する。
【００８５】
まず、Ｓ４０１では、追い越し加速前半フェイズＰ２か否か（Ｆp2＝１か否か）判定する。この判定の結果、追い越し加速前半フェイズＰ２の場合（Ｆp2＝１の場合）はＳ４０３にジャンプし、追い越し加速前半フェイズＰ２ではない場合（Ｆp2＝０の場合）はＳ４０２に進み、追い越し加速後半フェイズＰ３か否か（Ｆp3＝１か否か）判定する。
【００８６】
この判定の結果、追い越し加速後半フェイズＰ３の場合（Ｆp3＝１の場合）はＳ４０３に進み、追い越し加速後半フェイズＰ３ではない場合（Ｆp3＝０の場合：すなわち、追い越し加速前半フェイズＰ２、追い越し加速後半フェイズＰ３の何れでもない場合）はルーチンを抜ける。
【００８７】
追い越し加速前半フェイズＰ２の場合、或いは、追い越し加速後半フェイズＰ３の場合でＳ４０３に進むと、追い越し車線並走車両の時間ｔ後の位置（ＸEe，ＹEe）が、例えば、前述の（１９）式、（２０）式により推定される。
【００８８】
次いで、Ｓ４０４に進み、追い越し車線並走車両の時間ｔ後の位置（ＸEe，ＹEe）が、自車両の走行する追い越し車線の予め設定する領域内に存在するか否か判定される。具体的には、図１０に示すように、Ｄsb≦ＸEe≦Ｄsf、かつ、−（１／２）・Ｗｌ≦ＹEe≦（１／２）・Ｗｌの領域に存在することが推定されるか否か判定する。
【００８９】
Ｓ４０４の判定の結果、追い越し車線並走車両が時間ｔ後、自車両の走行する追い越し車線の予め設定する領域内に存在すると判定される場合は、Ｓ４０６へとジャンプする。逆に、追い越し車線並走車両が時間ｔ後、自車両の走行する追い越し車線の予め設定する領域内に存在すると判定されなかった場合は、Ｓ４０５に進む。
【００９０】
Ｓ４０５では、追い越し車線並走車両は、自車両の車線変更と同じ方向に方向指示器を点滅させているか否か判定される。そして、この判定の結果、自車両の車線変更と同じ方向に方向指示器を点滅させていない場合は、そのままルーチンを抜ける。また、追い越し車線並走車両が自車両の車線変更と同じ方向に方向指示器を点滅させていると判定された場合は、Ｓ４０６に進む。尚、図１０の例は、Ｓ４０４、Ｓ４０５の両方の条件が成立している場合の例を示している。
【００９１】
Ｓ４０４、或いは、Ｓ４０５からＳ４０６に進むと、追い越し走行制御のために設定する加速制御を中止させる。具体的には、目標加速度を０に強制的に設定する。
【００９２】
次に、Ｓ４０７に進み、車線変更のための自車両の加速に対してドライバに報知するべく、表示装置２４のディスプレイ、モニタ、アラームランプにより視覚的警報、或いは、スピーカ・ブザー２５による聴覚的警報を行う。そして、エンジン制御装置２１に対しては、例えば、図１２に示すように、通常よりも加速特性を制限したアクセル開度θacc−スロットル開度θthの特性マップを設定させる。
【００９３】
そして、Ｓ４０８に進み、ブレーキ制御装置２２に対して信号を出力し、例えば、予め設定しておいた減速度になるように自動ブレーキを発生させる。この際、図示しないストップランプも点灯させる。
【００９４】
尚、本実施の形態では、Ｓ４０６で加速制御を中止し、Ｓ４０７で自車両の加速を警報し、自車両の加速を制限し、Ｓ４０８で減速制御を実行するようになっているが、これらの処理は、何れか一つ、或いは、何れか組み合わせて行うようにしても良い。
【００９５】
また、走行制御部１０は、追い越し対象車両と追い越し車線並走車両とを監視し、追い越し対象車両を追い越すために自車両が車線変更を行って、追い越し加速前半フェイズＰ２、或いは、追い越し加速後半フェイズＰ３の場合に、追い越し対象車両を追い越すために自車両が車線変更を行って自車両の前方に追い越し車線並走車両が存在し、かつ、追い越し車線並走車両が元存在した車線に予め設定するスペースを検出した場合には、このスペースへの車線変更が実行自在となっている。
【００９６】
以下、この追い越し加速前半フェイズＰ２、或いは、追い越し加速後半フェイズＰ３で実行される、追い越し加速前半、後半における追い越し車線並走車両監視下の走行制御を図６のフローチャート、及び、図１１を基に説明する。
【００９７】
まず、Ｓ５０１では、追い越し加速前半フェイズＰ２か否か（Ｆp2＝１か否か）判定する。この判定の結果、追い越し加速前半フェイズＰ２の場合（Ｆp2＝１の場合）はＳ５０３にジャンプし、追い越し加速前半フェイズＰ２ではない場合（Ｆp2＝０の場合）はＳ５０２に進み、追い越し加速後半フェイズＰ３か否か（Ｆp3＝１か否か）判定する。
【００９８】
この判定の結果、追い越し加速後半フェイズＰ３の場合（Ｆp3＝１の場合）はＳ５０３に進み、追い越し加速後半フェイズＰ３ではない場合（Ｆp3＝０の場合：すなわち、追い越し加速前半フェイズＰ２、追い越し加速後半フェイズＰ３の何れでもない場合）はルーチンを抜ける。
【００９９】
追い越し加速前半フェイズＰ２の場合、或いは、追い越し加速後半フェイズＰ３の場合でＳ５０３に進むと、追い越し車線並走車両の時間ｔ後の位置（ＸEe，ＹEe）が、例えば、前述の（１９）式、（２０）式により推定される。
【０１００】
次いで、Ｓ５０４に進み、追い越し車線並走車両の時間ｔ後の位置（ＸEe，ＹEe）が、自車両が走行する追い越し車線の前方の予め設定する領域に存在すると推定されるか否か判定される。具体的には、Ｄsf＜ＸEe、かつ、−（１／２）・Ｗｌ≦ＹEe≦（１／２）・Ｗｌの領域に存在することが推定されるか否か判定される（図１１の例参照）。
【０１０１】
この判定の結果、上述の領域に存在しないと判定された場合には、ルーチンを抜け、存在すると判定された場合には、Ｓ５０５に進む。
【０１０２】
Ｓ５０５に進むと、追い越し車線並走車両の元存在した車線に、他の並走車両等が無く、自車両が車線変更するのに十分なスペースが有るか否か判定される。
【０１０３】
このＳ５０５の判定の結果、自車両が車線変更するのに十分なスペースが無いと判定された場合は、ルーチンを抜け、十分なスペースが有ると判定された場合は、Ｓ５０６に進む。
【０１０４】
Ｓ５０６に進むと、（元）追い越し車線並走車両が元存在した車線への車線変更が可能であることを、表示装置２４のディスプレイ、モニタ、アラームランプにより視覚的、或いは、スピーカ・ブザー２５による聴覚的に報知する。
【０１０５】
次いで、Ｓ５０７に進み、例えば、前述の（１３）式を利用し、そのときの車速等を基に、目標ハンドル角θHtを算出する。
【０１０６】
次に、Ｓ５０８に進んで、目標ハンドル角θHtをステアリング制御装置２３に出力してルーチンを抜ける。
【０１０７】
尚、本実施の形態では、Ｓ５０６で（元）追い越し車線並走車両が元存在した車線への車線変更が可能であることを報知した後、Ｓ５０７で目標ハンドル角θHtを算出し、Ｓ５０８で自動操舵を実行するようになっているが、これらの処理は、何れか一つ、或いは、何れか組み合わせて行うようにしても良い。
【０１０８】
以上のように、走行制御部１０は、周辺環境認識手段、追い越し対象車両検出手段、追い越し車線並走車両検出手段、元車線後続車両検出手段、追い越し制御手段としての機能を備えて構成されている。
【０１０９】
このように、本実施の形態によれば、周辺環境情報と走行情報とに基づいて自車両の走行車線前方の追い越し対象とする追い越し対象車両を検出し、周辺環境情報に基づいて追い越し対象車両を追い越す車線の追い越し対象車両とは反対側に隣接する車線を走行する追い越し車線並走車両を検出し、追い越し対象車両と追い越し車線並走車両とを監視し、該監視結果に基づいて追い越し対象車両に対する追い越し走行を可変制御する。具体的には、追い越し対象車両の追い越し制御を開始した場合（追い越し開始車線変更フェイズＰ１の場合）、或いは、車線変更を行った場合（追い越し加速前半フェイズＰ２の場合）、追い越し車線並走車両の位置が自車両からの予め設定する領域内に存在することが予想される場合と、自車両が追い越し対象車両を追い越すために車線変更する追い越し車線への追い越し車線並走車両の車線変更の意志を検出した場合の少なくとも一方を検出した場合は、追い越し走行を中止する方向に制御する。また、追い越し対象車両と追い越し車線並走車両とを監視し、追い越し対象車両を追い越すために自車両が車線変更を行って、追い越し加速前半フェイズＰ２、或いは、追い越し加速後半フェイズＰ３の場合に、追い越し車線並走車両の位置が自車両の走行する追い越し車線の予め設定する領域内に存在することが予想される場合と、追い越し車線への追い越し車線並走車両の車線変更の意志を検出した場合の少なくとも一方を検出した場合は、追い越し走行を中止する方向に制御する。更に、追い越し対象車両と追い越し車線並走車両とを監視し、追い越し対象車両を追い越すために自車両が車線変更を行って、追い越し加速前半フェイズＰ２、或いは、追い越し加速後半フェイズＰ３の場合に、追い越し対象車両を追い越すために自車両が車線変更を行って自車両の前方に追い越し車線並走車両が存在し、かつ、追い越し車線並走車両が元存在した車線に予め設定するスペースを検出した場合には、このスペースへの車線変更が実行自在となっている。また、周辺環境情報に基づいて自車両の走行車線後方の後続車両を元車線後続車両として検出し、追い越し対象車両を追い越すために自車両が車線変更を行って、追い越し加速前半フェイズＰ２、或いは、追い越し加速後半フェイズＰ３の場合に、追い越し対象車両に対する加速制御を略中止した場合に、元車線後続車両が自車両を追い越して該元車線後続車両の後方に自車両との間に予め設定しておいた距離が確保できる際は、元車線後続車両の後方の元車線への復帰自在であると共に、元車線後続車両が自車両よりも予め設定した距離よりも後方で、自車両との相対速度も離間方向になった際は、元車線後続車両の前方の元車線への復帰自在となっている。このため、自動運転の技術を利用して追い越し制御を実行する際に、後続車両や追い越し対象車両を追い越す車線の追い越し対象車両とは反対側に隣接する車線を走行する追い越し車線並走車両等の走行状態によって、追い越し走行自体を実行しない方が好ましい場合や、たとえ、追い越すための車線変更等を行っても、先行車を追い越さずに元の車線に戻る方が好ましい場合は、これらの情報を適切に収集して、ドライバに報知、或いは、元の車線等に自動的に車線変更することが可能となる。
【符号の説明】
【０１１０】
１    走行制御装置
１０    走行制御部（周辺環境認識手段、追い越し対象車両検出手段、追い越し車線並走車両検出手段、元車線後続車両検出手段、追い越し制御手段）
１１    周辺環境認識装置（周辺環境認識手段）
１２    走行パラメータ検出装置（走行情報検出手段）
１３    自車位置情報検出装置
１４    車車間通信装置
１５    道路交通情報通信装置
１６    スイッチ群
２１    エンジン制御装置
２２    ブレーキ制御装置
２３    ステアリング制御装置（操舵制御手段）
２４    表示装置（報知手段）
２５    スピーカ・ブザー（報知手段）
【図１】
0006031066.tif 000002
【図２】
0006031066.tif 000003
【図３】
0006031066.tif 000004
【図４】
0006031066.tif 000005
【図５】
0006031066.tif 000006
【図６】
0006031066.tif 000007
【図７】
0006031066.tif 000008
【図８】
0006031066.tif 000009
【図９】
0006031066.tif 000010
【図１０】
0006031066.tif 000011
【図１１】
0006031066.tif 000012
【図１２】
0006031066.tif 000013